(57)【特許請求の範囲】
【請求項１】
島構築体(3)を構築する基台の嵌入空間に台枠(4)を嵌入すると共に該台枠の下枠(12)と上枠(13)を固着し、該台枠にパチンコ台(5)を開閉自在に搭載して成るパチンコ遊技島であり、前記島構築体(3)の上部にパチンコ台(5)の上皿(15)に貸玉を供給する供給路(30)を配設すると共に、前記上皿に臨む供給路の端部に開閉検知手段(31)を備えた遮断装置(29)を設け、パチンコ台を開状態としたとき遮断装置(29)をＯＮすることにより前記貸玉の供給を停止させ、パチンコ台を閉状態としたとき遮断装置(29)をＯＦＦすることにより前記貸玉を供給させる構成において、
前記嵌入空間に台枠の上枠(13)を固着する上側支持板(7)が設けられており、該上側支持板(7)は、調節装置(16)を介して基台の支持フレーム(10)に連結され、該調節装置(16)により台枠(4)を固着した状態で上側支持板(7)を嵌入空間の内外方向に関して進退移動させられるように構成され、
前記遮断装置(29)は、前記上側支持板(7)に設けられており、前記調節装置(16)により上側支持板(7)を進退移動したとき、遮断装置(29)がパチンコ台を搭載した台枠(4)と一体的に進退移動させられるように構成して成ることを特徴とするパチンコ遊技島における台枠の調節装置。
【請求項２】
前記上側支持板(7)は、該上側支持板に固着された台枠の上枠(13)を超えて島構築体(3)の内部に向けて進入する被着部(28)を形成し、該被着部(28)に前記遮断装置(29)を設けて成ることを特徴とする請求項１に記載のパチンコ遊技島における台枠の調節装置。
【請求項３】
前記調節装置(16)は、操作手段(23)と駆動手段(24)を備え、前記操作手段(23)の操作により前記駆動手段(24)を駆動することにより上側支持板(7)を進退移動させるように構成されており、
前記操作手段(23)は、島構築体(3)の前面から操作可能な位置に設けられて成ることを特徴とする請求項１又は２に記載のパチンコ遊技島における台枠の調節装置。
【発明の詳細な説明】
【技術分野】
【０００１】
本発明は、パチンコ台を列設した遊技島において、パチンコ台を搭載する台枠を島構築体の嵌入空間に嵌入し固着した状態で、島構築体に対して台枠を進退移動させることにより、パチンコ台の盤面角度を調節可能とする装置に関する。
【背景技術】
【０００２】
従来、パチンコ遊技島に列設されたパチンコ台に関して、パチンコ台を搭載する台枠自体に調節装置を設け、該台枠を進退移動させることにより、パチンコ台の盤面角度を調節可能とした装置が提案されている。
【先行技術文献】
【特許文献】
【０００３】
【特許文献１】特開２００５−２４５６５２号公報
【発明の概要】
【発明が解決しようとする課題】
【０００４】
通常、台枠は、該台枠に搭載したパチンコ台を閉じた状態で、該台枠の前面がパチンコ台の盤面で被われるように構成されている。従って、台枠自体に調節装置を設けた従来技術の場合、調整装置は、台枠の前面側に設けることができないため、後面側に設けなければならないことになる。しかしながら、台枠の後面側は、遊技島の狭小な内部空間とされ、しかも、貸玉の回収樋等が配設されているので、作業者が台枠の後面側から調節装置を操作することは至難である。従って、調節装置を操作する際は、前面から手を伸ばし、視認できない状態で感触により作業を行う必要があり、困難を伴うという問題がある。
【０００５】
また、一般的に、遊技島は、台枠に対して開閉自在とされたパチンコ台の上皿に向けて貸玉を供給する供給路を島構築体の上部に配設し、前記上皿に臨む供給路の端部に開閉検知手段を備えた遮断装置を設けており、前記開閉検知手段は、パチンコ台を開状態としたとき遮断装置をＯＮすることにより前記貸玉の供給を停止させ、パチンコ台を閉状態としたとき遮断装置をＯＦＦすることにより前記貸玉を供給させるように構成されている。このため、従来の調節装置のように台枠自体を進退移動させる場合は、島構築体に固設された遮断装置の固定位置に対して、台枠と共にパチンコ台が進退移動するため、パチンコ台と遮断装置の相対位置が変化することになる。しかしながら、このような相対位置の変化は、前記開閉検知手段の誤作動の原因となるおそれがあり、台枠に対してパチンコ台を開閉したとき、遮断装置が正常に作動せず、トラブルを発生する可能性がある。
【０００６】
上記問題を解決するため、本発明者は、鋭意検討の結果、パチンコ台の盤面角度を調節する装置は、従来のように台枠自体を進退移動させるのではなく、島構築体の構成部材を進退移動することにより、該構成部材を介して台枠の上枠を進退移動させることが有利であることを知得し、しかも、遮断装置を前記進退移動される構成部材に設けることにより開閉検知手段の誤作動を防止することが有利であることを知見した結果、これを可能とした調節装置の提供を課題とするものである。
【課題を解決するための手段】
【０００７】
そこで、本発明が手段として構成したところは、島構築体を構築する基台の嵌入空間に台枠を嵌入すると共に該台枠の下枠と上枠を固着し、該台枠にパチンコ台を開閉自在に搭載して成るパチンコ遊技島であり、前記島構築体の上部にパチンコ台の上皿に貸玉を供給する供給路を配設すると共に、前記上皿に臨む供給路の端部に開閉検知手段を備えた遮断装置を設け、パチンコ台を開状態としたとき遮断装置をＯＮすることにより前記貸玉の供給を停止させ、パチンコ台を閉状態としたとき遮断装置をＯＦＦすることにより前記貸玉を供給させる構成において、前記嵌入空間に台枠の上枠を固着する上側支持板が設けられており、該上側支持板は、調節装置を介して基台の支持フレームに連結され、該調節装置により台枠を固着した状態で上側支持板を嵌入空間の内外方向に関して進退移動させられるように構成され、前記遮断装置は、前記上側支持板に設けられており、前記調節装置により上側支持板を進退移動したとき、遮断装置がパチンコ台を搭載した台枠と一体的に進退移動させられるように構成して成る点にある。
【０００８】
前記上側支持板は、該上側支持板に固着された台枠の上枠を超えて島構築体の内部に向けて進入する被着部を形成し、該被着部に前記遮断装置を設けるように構成することが好ましい。
【０００９】
前記調節装置は、操作手段と駆動手段を備え、前記操作手段の操作により前記駆動手段を駆動することにより上側支持板を進退移動させるように構成され、前記操作手段は、島構築体の前面から操作可能な位置に設けられていることが好ましい。
【発明の効果】
【００１０】
本発明は、従来のように台枠自体を進退移動させるのではなく、島構築体３の構成部材とされた上側支持板７を進退移動する調節装置１６を設け、該上側支持板７を介して台枠４の上枠１３を進退移動させることにより、パチンコ台５の盤面角度を調節する構成であるから、調節装置１６の操作手段２３を島構築体３の前面に配置し、該前面から容易に調節作業を行うことが可能となる。
【００１１】
そして、パチンコ台５の上皿１５に貸玉を供給する供給路３０を遮断するための開閉検知手段３１を備えた遮断装置３９を前記上側支持板７に取付ける構成としているので、調節装置１６による盤面角度の調節に際して、上側支持板７を介して、遮断装置３９及び開閉検知手段３１とパチンコ台５の上皿１５を一体的に同期して進退移動させることが可能となり、開閉検知手段３１の誤作動を防止できる効果がある。
【図面の簡単な説明】
【００１２】
【図１】本発明の調節装置を備えたパチンコ遊技島の１例を示す斜視図である。
【図２】調節装置を備えた島構築体と台枠を示す斜視図である。
【図３】島構築体に設けられた調節装置を示しており、（Ａ）は分解状態を示す斜視図、（Ｂ）はスライダーの拡大斜視図である。
【図４】島構築体の上側支持板と下側支持板に台枠を固着すると共に該台枠にパチンコ台を搭載した状態を示す縦断面図である。
【図５】本発明の作用を示しており、調節装置を備えた上側支持板と、該上側支持板に設けた遮断装置と、該上側支持板に固着した台枠の上枠と、上皿を備えたパチンコ台の関係を示す縦断面図である。
【図６】本発明の作用を示しており、調節装置により上側支持板を進退移動させた状態を示す縦断面図である。
【発明を実施するための形態】
【００１３】
以下図面に基づいて本発明の好ましい実施形態を詳述する。
【００１４】
図１は、パチンコ遊技島１の１例を示しており、該遊技島１は、基台２を含む島構築体３と、台枠４及びパチンコ台５を含む台構成体６に大別される。
【００１５】
（島構築体）
基台２は、図示のような種々のフレームにより構築されると共に床面に設置され、該基台２の前面に開口する嵌入空間の上下に上側支持板７と下側支持板８を配設している。この際、下側支持板８は、基台２に固設され、遊技島１の長手方向に延びる長尺の板材により構成されている。これに対して、上側支持板７は、図２及び図３に示すように、各台枠４に対応する短尺の板材により構成され、基台２の横桟部材９の下側に支持フレーム１０を介して設けられている。尚、両板材７、８は、木製とすることが好ましいが、これに限定されるものではなく、樹脂製又はスチール製としても良い。
【００１６】
図示実施形態の場合、横桟部材９の上側に点検窓が形成され、該点検窓を開閉する扉１１が設けられている。
【００１７】
従って、本発明において、基台２は、横桟部材９及び支持フレーム１０等を含んで構成されており、島構築体３は、基台２や、上側支持板７及び下側支持板８や、扉１１等を含んで構成されている。
【００１８】
（台構成体）
上記の島構築体３に対して、台構成体６は、台枠４にパチンコ台５を搭載するように構成され、木板材から成る下枠１２と上枠１３を備えている。台枠４は、前記上側支持板７と下側支持板８の間の嵌入空間に嵌入され、下枠１２を下側支持板８に固着し、上枠１３を上側支持板７に固着するように構成されている。このようにして、島構築体３の嵌入空間に対して、複数の台構成体６が横並び状態で列設され、図１に示すようなパチンコ遊技島１が提供される。パチンコ台５は、ヒンジ手段１４を介して台枠４に対して開閉自在に装入され、後面の上部に上皿１５を設けており、後述するように島構築体３の上部に配設された供給路から貸玉の供給を受ける。
【００１９】
（調整装置）
図２ないし図４に示すように、島構築体３を構成する上側支持板７は、基台２の支持フレーム１０に対して、調節装置１６を介して連結されている。
【００２０】
調節装置１６は、上述した従来技術のように台枠自体を進退移動させるものではなく、台枠４の下枠１２及び上枠１３を下側支持板８及び上側支持板７にネジ釘等により固着した状態で、前記上側支持板７を進退移動することにより、該上側支持板７を介して台枠４の上枠１３を進退移動させるように構成されている。尚、本明細書において、進退移動とは、嵌入空間に対する進入方向と後退方向を含む進退方向に移動することを意味している。
【００２１】
図示実施形態の場合、前記横桟部材９は、溝開口を上向きとした溝型部材により構成され、底壁９ａと前後壁９ｂ、９ｃを備え、該底壁９ａの下面に支持フレーム１０を添設しており、横桟部材９と支持フレーム１０を一体化した状態で基台２の構造物を構成することにより、島構築体３を構築している。
【００２２】
前記横桟部材９と支持フレーム１０には、前記進退方向に長く形成された長孔１７、１８が貫設されており、横桟部材９の長孔１７に臨んでスライダー１９が設けられる。
【００２３】
スライダー１９は、前記長孔１７に連通する挿通孔２０と、前記進退方向に貫通した雌ネジ孔２１、２１を備えており、該雌ネジ孔２１、２１にボルト２２が螺挿される。
【００２４】
ボルト２２は、頭部２２ａとボルト軸２２ｂを備え、前記雌ネジ孔２１、２１に螺挿された状態で、横桟部材９の前後壁９ｂ、９ｃに形成した切欠き部９ｄ、９ｄに架設される。この際、図示のように、ボルト２２の頭部２２ａが島構築体３の前面に臨むように配置される。従って、島構築体３の前面から前記頭部２２ａを操作手段２３としてレンチ等の工具で操作することにより回転すると、前記ボルト軸部２２ｂと雌ネジ孔２１から成る駆動手段２４が駆動され、スライダー１９を進退移動することができるように構成されている。
【００２５】
前記支持フレーム１０は、平板部１０ａの前面側の縁部から垂壁１０ｂを介して後面側に向けて断面コ字形の折曲部を形成することによりガイド溝２５を設けており、前記平板部１０ａの下面により定規面２６を形成している。
【００２６】
上側支持板７は、前縁部７ａと後縁部７ｂを備え、前縁部７ａを前記ガイド溝２５に挿入した状態で、前記長孔１７、１８に連通させられる受孔２７を設けている。そこで、前記スライダー１９の挿通孔２０から前記長孔１７、１８に挿通されたボルト等の固定具２８が前記受孔２７に挿着され、スライダー１９と上側支持板７が連結される。従って、上述のように操作手段２３の操作により駆動手段２４を駆動することによりスライダー１９を進退移動したとき、これに追従して上側支持板７が前記定規面２６に沿って進退移動させられる。
【００２７】
（台構成体の装着と調整）
上記のように構成された島構築体３の嵌入空間に台構成体６を嵌入固定する場合、先に台枠４の下枠１２を下側支持板８にネジ釘等の固着具により固着し、その後、台枠４の上枠１３を上側支持板７にネジ釘等の固着具により固着する。図４に示すように、パチンコ遊技島をパチンコホールに設置した状態で、対面する一対の遊技島に装着されたパチンコ台５の下端部の間に形成される顧客の通路の幅寸法Ｗは、消防関連法令等により厳格に定められているため、先に台枠４の下枠１２の設置位置を決定し、その位置に対して正確に固着する必要があるからである。
【００２８】
従って、先に下枠１２を下側支持板８に固着し、その固着状態を保持した上で、傾斜計等の計器を使用することにより、台枠４の姿勢を確認しながら、上枠１３を上側支持板７にネジ釘等の固着具により固着することになるが、ネジ釘等の固着具をハンマーやドライバー等の工具で打ち込む際に、上枠１３がずれ動き、所定位置から位置ずれした状態で固着されてしまうおそれがある。
【００２９】
そこで、本発明によれば、上枠１３を上側支持板７に固着すると共に、台枠４にパチンコ台５を装着した後、図５及び図６に示すように、調節装置１６により、上側支持板７を進退移動させ、該上側支持板７を介して上枠１３を進退移動することにより、パチンコ台５の盤面角度を調節することができる。この際、支持フレーム１０は、上述のように基台２の長手方向に延びる構造物として固定状態とされ、垂壁１０ｂにより基台２の前面を構成し、垂壁１０ｂの背後で、上側支持板７と共に上枠１３が進退移動させられる。
【００３０】
調節装置１６は、台枠４にパチンコ台５を装着した状態で、島構築体３の前面側から操作手段２３を操作することができるので、調節作業が簡単容易である。
【００３１】
本発明は、従来のように基台の一部と台枠の間に金具を取付けることにより台枠自体を進退移動させるのではなく、島構築体３における基台２の構造物として長手方向に延びる支持フレーム１０を設けると共に、該支持フレーム１０の平板部１０ａの下側でかつ垂壁１０ｂの背後に位置して上側支持板７を配設し、調節装置１６により上側支持板７を支持フレーム１０に対して進退移動可能に構成しているので、島構築体３を設置した状態でそれ自体に調節装置１６が備えられており、設置後に金具等の取付けを必要としない。そして設置現場においてパチンコ台５の台枠４を嵌入空間に装着するときは、古くから行われている方法と同様に、固着具の打ち込みにより台枠４の上枠１３を上側支持板７に固着すれば良く、固着後は、調節装置１６により、垂壁１０ｂの背後で支持フレーム１０に対して、上側支持板７と共に台枠４の上枠１３を進退移動させることにより、パチンコ台５の盤面角度を調節することができる。
【００３２】
更に、台枠自体を進退移動させる従来技術とは相違して、調節装置１６により島構築体３の構造物を進退移動させる構成であるから、固定した支持フレーム１０の定規面２６に沿って上側支持板７を進退移動させる構成とすることができ、上側支持板７の微動による盤面角度の微調整が可能であり、高精度の調節ができる利点がある。
【００３３】
ところで、島構築体３を構成する上側支持板７の後縁部７ｂは、台枠４の上枠１３を超えて島構築体３の内部に向けて進入する被着部２８を形成しており、該被着部２８に遮断装置２９が取付けられる。図４に示すように、島構築体３の上部には貸玉の供給路３０が配設され、パチンコ台５の上皿１５に貸玉を供給するように構成されており、該上皿１５に臨む供給路３０の端部に遮断装置２９が配置され、該遮断装置２９に開閉検知手段３１が設けられている。
【００３４】
開閉検知手段３１は、台枠４に対してパチンコ台５を開状態としたとき遮断装置２９をＯＮすることにより貸玉の供給を停止させ、パチンコ台５を閉状態としたとき遮断装置２９をＯＦＦすることにより貸玉を上皿１５に供給させるように構成されている。つまり、パチンコ台５を閉じた遊技可能状態では貸玉を上皿１５に供給するが、パチンコ台５を開くことにより上皿１５が移動したときは、自動的に遮断装置２９をＯＮすることにより、供給路３０から多数の貸玉が落下することを防止する。
【００３５】
図５及び図６に示すように、図示実施形態の場合、開閉検知手段３１は、板バネ３１ａを備えた接触式検知手段を構成しており、上皿１５により板バネ３１ａが第１位置３２に往動させられたとき、遮断装置２９をＯＦＦ（つまり貸玉を供給する）とし、上皿１５が後退させられることにより板バネ３１ａが第２位置３３に復動させられたとき、遮断装置２９をＯＮ（つまり貸玉の供給を停止する）としており、第１位置３２と第２位置３３の離間距離Ｌの間を往復動する。
【００３６】
そこで、本発明によれば、図５に示すように、上側支持板７の前縁部７ａが支持フレーム１０のガイド溝２５から垂壁１０ｂに当接させられた状態において、パチンコ台５を閉じたとき、板バネ３１ａは、上皿１５で往動されることにより、所定の第１位置３２に位置しており、開閉検知手段３１として正常に機能する。
【００３７】
この状態から、図６に示すように、調節装置１６を作動させ、上側支持板７を定規面２６に沿って進入方向Ｆに移動すると、これにより上枠１３が牽引されながら同じ方向に移動し、パチンコ台５の盤面角度θを調節することができる。この際、上側支持板７に取付けられた遮断装置２９の板バネ３１ａと、パチンコ台５の上皿１５は、一体的に同期して進入方向Ｆに移動させられるので、盤面角度θを調節した後においても、板バネ３１ａは、上皿１５で往動されることにより、所定の第１位置３２に位置しており、開閉検知手段３１として正常に機能し、誤動作を生じるおそれはない。
【００３８】
ところで、パチンコ遊技島は、パチンコ台５の新旧入替が頻繁に行われる結果、ネジ釘等の固着具を打ち付けることにより台枠４の上枠１３を取付けるための取付用受部材が局部的に損傷するという問題がある。つまり、例えば、上側支持板７を木製の板材により形成している場合は、同じ個所に何度もネジ釘が打ち込まれるので、当該個所が損傷し、新たに打ち込まれたネジ釘等を好適に固着できない問題がある。この点に関して、本発明によれば、調節装置１６により進退方向に移動可能な上側支持板７を上枠１３の取付用受部材としているので、新旧パチンコ台５の入替等に伴い、上側支持板７がネジ釘等の打ち付けを繰り返されることにより局部的な損傷部分を生じた場合でも、新パチンコ台５の台枠４の上枠１３を固着する際に、予め、上側支持板７を進退移動させることにより損傷部分を避け、損傷していない部分を選択して固着具を打ち付けることが可能である。更に、図示のように調節装置１６及び支持フレーム１０に対して上側支持板７を着脱可能に構成しておけば、損傷した上側支持板７を新しい上側支持板７と交換することが可能である。
【００３９】
（その他の実施形態）
本発明は、上記のような図示実施形態に限定されないことが勿論であり、種々の他の実施形態を採用することが可能である。
【００４０】
例えば、調節装置１６に関して、図例の場合、ボルト２２の頭部２２ａにより操作手段２３を構成し、ボルト軸２２ｂと雌ネジ孔２１により駆動手段２４を構成しているが、このようなネジ手段の他、ラック及びピニオンによる手段や、ウオーム軸及びウオームギヤによる手段や、その他の手段又は機構を採用することが可能であり、要するに、島構築体３の前面から操作手段２３を操作することにより駆動手段２４を駆動し、上側支持板７を進退移動させる構成であれば良い。
【００４１】
また、操作手段２３の操作を可能にする島構築体３の前面に関して、図例の場合、横桟部材９の前壁９ｂに操作手段２３を設け、扉１１を閉じることにより操作手段２３を隠蔽するように構成しているが、島構築体３の内部において、扉１１を開いた状態で作業者の手が届く位置に操作手段２３を設けても良く、その際、操作手段２３は、横向きに配置する他、上下方向に向けて配置しても良い。
【００４２】
更に、図示省略しているが、横向きに列設される台構成体６の間に位置して、島構築体３に間柱や、玉貸し機等を設置することが可能である。
【００４３】
そして、図示実施形態の場合、短尺の板材により構成した上側支持板７に対して１個の台枠４の上枠１３を固着し、調節装置１６により各パチンコ台５を個別に進退移動させる構成を示したが、上側支持板７を長尺の板材により構成し、該上側支持板７に隣り合う複数の台枠４の上枠１３を固着することにより、１枚の上側支持板７で複数のパチンコ台５を同時に進退移動させるように構成しても良い。その際、間柱や玉貸し機等は、上側支持板７にブラケットを介して取付けることにより、複数のパチンコ台５と同時に進退移動させるように構成しても良く、或いは、支持フレーム１０の折曲部から延設した固定ブラケットに取付けることにより、進退不能に固定しても良い。
【符号の説明】
【００４４】
１  パチンコ遊技島
２  基台
３  島構築体
４  台枠
５  パチンコ台
６  台構成体
７  上側支持板
７ａ  前縁部
７ｂ  後縁部
８  下側支持板
９  横桟部材
９ａ  底壁
９ｂ  前壁
９ｃ  後壁
９ｄ  切欠き部
１０  支持フレーム
１０ａ  平板部
１０ｂ  垂壁
１１  扉
１２  下枠
１３  上枠
１４  ヒンジ手段
１５  上皿
１６  調節装置
１７、１８  長孔
１９  スライダー
２０  挿通孔
２１  雌ネジ孔
２２  ボルト
２２ａ  頭部
２２ｂ  ボルト軸
２３  操作手段
２４  駆動手段
２５  ガイド溝
２６  定規面
２７  受孔
２８  被着部
２９  遮断装置
３０  供給路
３１  開閉検知手段
３１ａ  板バネ
３２  第１位置
３３  第２位置
【図１】
0006258533.tif 000002
【図２】
0006258533.tif 000003
【図３】
0006258533.tif 000004
【図４】
0006258533.tif 000005
【図５】
0006258533.tif 000006
【図６】
0006258533.tif 000007